(57)【要約】  ヒトの足用のハイヒール靴であって、それを履いた人が、解剖学的に適正（適切）な位置で起立および歩行できるようにし、すなわちヒールのない平らな靴で歩行するときと全く同様に歩行することができ、また、身体がバランス良く起立でき、かつ足が全ての点で支持されるようにするハイヒール靴。このハイヒール靴は、湾曲する傾斜した支持ソールを有するように形成され、ソールは、ヒールまで延び、湾曲が、アークタンジェント値と、ヒトの足に適切な補正因子ならびに爪先部およびヒール角度とによって調節されて、解剖学的構造に適切な直立した身体姿勢のためにヒトの足に完璧に適合する。【選択図】図２
2017506931.tif 000002
【特許請求の範囲】
【請求項１】
起立および歩行に関して解剖学的に適した身体姿勢をヒトが取って維持することを可能にし、かつ整形外科的な傾斜を有するヒトの足用のハイヒール靴であって、爪先区域とヒール区域を備え、前記爪先区域と前記ヒール区域とが、ソール区域によって分離され、かつ前記ソール区域と接続され、前記ハイヒール靴が、ヒトの足の爪先、踵、および足底をそれぞれ支持するように構成され、前記爪先の支持部と前記踵の支持部との間の垂直距離が、２〜４．５インチの間であり、ヒトの足底および踵を直接支持する前記ソール区域が、湾曲された傾斜を有し、前記爪先区域の底部から前記ソール区域が上昇し始める点に原点を有するｘ−ｙ座標系と重ね合わされ、前記湾曲傾斜構成が、公式
ｙ＝（５／ａｒｃｔａｎ（１０ｋ））＊ａｒｃｔａｎ（ｋ＊ｘ）
に従って、前記ソール区域に沿って値ｘおよびｙに従って決定され、
ここで、ｙは、前記ソール区域での１点のｙ座標であり、ｘは、前記点のｘ座標であり、ｋは、約１／４．５〜１／２．７５の間の範囲内の実験から得られた値であり、ｙ値は、前記爪先区域の前記底部から延びる平面からの垂直距離を示し、ここで、前記ｙ値は、ヒトの足の補正因子の公式
１／（１＋（ｘ−ｘｊ）２／ｋ２）
を乗算され、ここで、ｘは、ｘ座標であり、ｋ２は、３００であり、ｘｊは、前記爪先区域と前記ヒール区域との間の垂直距離の関数であり、約２〜４．５インチの間の範囲内の前記垂直距離に関して約２０〜６０の範囲である
ハイヒール靴。
【請求項２】
前記ソール区域と前記ヒール区域とが、連続する湾曲されたソールから構成される請求項１に記載のハイヒール靴。
【請求項３】
前記爪先区域が、約７°〜２６°の間の角度で前記爪先区域の前記底部から上昇する傾斜βを備える請求項２に記載のハイヒール靴。
【請求項４】
前記ヒール区域が、傾斜αを有し、前記傾斜αが、約５°〜２６°の間の角度で前記ヒール区域の底部から上昇し、実質的に直立した身体姿勢を提供するように選択される請求項２に記載のハイヒール靴。
【請求項５】
前記爪先区域が、約３と１／２インチの高さまでのプラットフォームを有する前記ハイヒール靴の底部区域から上昇される請求項１に記載のハイヒール靴。
【請求項６】
前記爪先区域、前記ソール区域、および前記ヒール区域が、硬いウェッジソールとして構成され、前記ウェッジソールの上部が、前記ヒトの足の爪先、足底、および踵に関する直接の支持を提供する請求項１に記載のハイヒール靴。
【請求項７】
０．５インチの増分で２〜４．５インチの範囲内の垂直高さを有するハイヒール靴に関して、Ａ１が、２インチの垂直高さを表し、Ａ２が、２と１／２インチを表し、Ａ３が、３インチを表し、Ａ４が、３と１／２インチを表し、Ａ５が、４インチを表し、Ａ６が、４．５インチを表し、以下の表が、前記ヒールの末端での前記靴の後部から計測した、前記ソールに沿ったいくつかの位置での角度曲率を含み、約２〜４．５インチの間の０．５インチ増分以外の垂直高さに関する角度曲率がそこから外挿され、それぞれ、位置Ａ１に関する角度曲率値の範囲がＡ１〜Ａ２の値に及び、Ａ２に関しては前記角度曲率値がＡ１〜Ａ３の値に及び、Ａ３に関しては湾曲角度値がＡ２〜Ａ４の値に及び、Ａ４に関しては前記湾曲角度値がＡ３〜Ａ５の値に及び、Ａ５に関しては前記湾曲角度値がＡ４〜Ａ６の値に及び、Ａ６に関しては前記湾曲角度値がＡ５〜Ａ６の値に及ぶ請求項１に記載のハイヒール靴。
【表５】
2017506931.tif 000008
【請求項８】
０．５インチの増分で２〜４．５インチの範囲内の垂直高さを有するハイヒール靴に関して、Ａ１が、２インチの垂直高さを表し、Ａ２が、２と１／２インチを表し、Ａ３が、３インチを表し、Ａ４が、３と１／２インチを表し、Ａ５が、４インチを表し、Ａ６が、４．５インチを表し、以下の表が、前記ヒールの末端での前記靴の後部から計測した、前記ソールに沿った角度曲率を含み、約２〜４．５インチの間の０．５インチ増分以外の垂直高さに関する角度曲率がそこから外挿される請求項１に記載のハイヒール靴。
【表６】
2017506931.tif 000009
【請求項９】
前記ヒール区域が、前記ヒール区域の底部から上昇する傾斜αと、前記爪先区域の底部から上昇する傾斜βとを備え、垂直高さを変えるためのαおよびβに関する前記値範囲が、以下の表に記載される請求項７に記載のハイヒール靴。
【表７】
2017506931.tif 000010
【請求項１０】
起立および歩行に関して解剖学的に適した身体姿勢をヒトが取って維持することを可能にし、かつ整形外科的な傾斜を有するヒトの足用のハイヒール靴であって、爪先区域とヒール区域を備え、前記爪先区域と前記ヒール区域とが、ソール区域によって分離され、かつ前記ソール区域と接続され、前記ハイヒール靴が、ヒトの足の爪先、踵、および足底をそれぞれ支持するように構成され、前記爪先の支持部と前記踵の支持部との間の垂直距離が、２〜４．５インチの間であり、前記爪先区域が、前記爪先のための前記支持部から７°〜２６°の間の範囲内の角度βだけ上昇され、前記靴の前部から前記靴の後部までのヒール区域の上昇の角度αが、５°〜２６°の間の範囲内であり、２〜４．５インチの間の垂直距離の値が、以下のようであるハイヒール靴。
【表８】
2017506931.tif 000011
【請求項１１】
垂直ヒール高さ距離に関する角度αおよびβの値が以下のようである請求項１０に記載のハイヒール靴。
【表９】
2017506931.tif 000012
【請求項１２】
起立および歩行に関して解剖学的に適した身体姿勢をヒトが取って維持することを可能にし、かつ整形外科的な傾斜を有するヒトの足用のハイヒール靴であって、爪先区域とヒール区域を備え、前記爪先区域と前記ヒール区域とが、ソール区域によって分離され、かつ前記ソール区域と接続され、前記ハイヒール靴が、ヒトの足の爪先、踵、および足底をそれぞれ支持するように構成され、前記爪先の支持部と前記踵の支持部との間の垂直距離が、２〜４．５インチの間であり、０．５インチの増分で２〜４．５インチの範囲内の垂直高さを有するハイヒール靴に関して、前記ソール区域が、ヒトの足底および踵を直接支持し、Ａ１が、２インチの垂直高さを表し、Ａ２が、２と１／２インチを表し、Ａ３が、３インチを表し、Ａ４が、３と１／２インチを表し、Ａ５が、４インチを表し、Ａ６が、４と１／２インチを表し、以下の表が、前記ヒールの末端での前記靴の後部から計測した、前記ソールに沿ったいくつかの位置での角度曲率を含み、約２〜４．５インチの間の０．５インチ増分以外の垂直高さに関する角度曲率がそこから外挿され、それぞれ、位置Ａ１に関する角度曲率値の範囲がＡ１〜Ａ２の値に及び、Ａ２に関しては前記角度曲率値がＡ１〜Ａ３の値に及び、Ａ３に関しては湾曲角度値がＡ２〜Ａ４の値に及び、Ａ４に関しては前記湾曲角度値がＡ３〜Ａ５の値に及び、Ａ５に関しては前記湾曲角度値がＡ４〜Ａ６の値に及び、Ａ６に関しては前記湾曲角度値がＡ５〜Ａ６の値に及ぶハイヒール靴。
【表１０】
2017506931.tif 000013
【発明の詳細な説明】
【技術分野】
【０００１】
本発明は、ハイヒール靴に関し、特に、着用者が、起立および歩行中に解剖学的に適切な姿勢を取って維持することを可能にするハイヒール靴に関する。
【背景技術】
【０００２】
靴、特に、一般に２インチ（５．０８ｃｍ）を超えるヒール高さを有するハイヒール靴として知られている靴は、ヒトの足に着用されるように適合されている。快適性が、履物の主要な考慮事項であるが、特に上記のハイヒール靴（大抵は特に見栄えを考慮して着用される）に関しては、見栄えの方が重視される。
【０００３】
解剖学的に、ヒトの足は、２６本の異なる骨から構成され、それらの骨は、約３０の関節によって互いに接続され靭帯および関節包によって、それぞれの場所に保たれる。３０の腱が、脚の下側筋肉、および足の筋肉の腱に加えて、足の動きに役割を持つ。
【０００４】
足首の関節は、足の背屈運動（爪先を上げ、踵のみで立つ）および底屈運動（爪先を下げ、爪先のみで立つ）を担当する。足首の関節の下に、足根骨と呼ばれる５本の骨があり、これらの骨は、必要であれば、それらが接する表面の性質に応じて、骨間の関節を介して１群として動くことによって、非常に耐性または剛性のある構造となり得る。足根骨は、足の前部に位置される５本の長い骨である。これらの足根骨構造の端部に、趾節骨からなる、通常の歩行に必要とされる指関節がある。足指は、中足趾節（ＭＴＰ）関節を介して足根骨と接続され、最も重要なのは、足の親指に属する第１ＭＴＰ関節である。
【０００５】
足の構造は、３つの認識可能な部分に分けることができる。後部から始めて、第１の部分、すなわち踵は、距骨および踵骨からなる。第２のまたは中央部分は、舟状骨、中足骨、および他の骨（立方骨および３本の楔状骨）からなる。５本の足指が、足の第３の部分または前部を構成する。足の親指は、手の親指と同様に２本の趾節骨を有し、他の足指は、３本の趾節骨を有する。足指に負荷が及ぼされるとき、足の親指が地面を押す間、他の４本の足指は、把持運動位置を取る。
【０００６】
足には２つのアーチ構造が存在する。１つは、足の前部での横方向アーチである。第２のまたは他方の縦方向アーチは、踵骨から始まり、足の親指の基節関節まで、足の内側に沿って延びる。前部でのアーチは、靭帯によって形成され、靭帯は、足に負荷が作用していないときにはアーチの形状を維持し、足に負荷が及ぼされるときには、地面に押し付けられるときに伸びる。踵骨から足指に広がっている足底腱膜（アーチ靭帯）も伸びる。アーチに及ぼされる負荷が大きければ大きいほど、靭帯は大きく伸びる。足および足指の多くの運動は、脚の下部から始まる筋肉によって制御され、その筋肉の腱は足に付着している。
【０００７】
いくつかの筋肉は、足のより繊細な動きを制御し、これらの筋肉は、足自体から始まって足に付着されている。足の多くの運動は、靭帯を介して、脚の底部にある筋肉によって提供される。足の起立、歩行、および走りの機能は、これらの筋肉の収縮によって可能にされる。上記の筋肉以外の多くの小さな筋肉は、足底で底部を形成し、それらの筋肉の位置は骨の間である。
【０００８】
典型的なヒトの足の構造において相互作用する構成要素が非常に多くあるので、相互の快適性レベルを高めるために、構成要素の支持および位置決めが、足の他の構成要素の支持および位置決めと付随的に関連付けられなければならないことが明らかである。足のいくつかの部分の支持および位置決めの極端な歪みは、快適性の実現を難しくする。
【０００９】
今日使用されている女性用ハイヒール靴の機能は、健康的または快適なものでなく、大抵は、靴の美観のためのものにすぎないことが知られている。美観的な考慮は、足の適切な支持、特に足の運動とは相容れないものであることが多い。現在のほぼ全てのハイヒール靴における不正確な角度計算に起因する状況により、主に、そのような靴を履いた人の重心は、足の前部に向けて、すなわち中足骨に向けてずれる。したがって、そのような靴での歩行は、歪んだ不自然なものとなる。これは、アキレス腱の変形、腱の伸びに起因する身体の全ての部位の痛み（頭痛を含む）、半月板や股関節の脱臼を引き起こすことがあり、また、胴および首、すなわち「脊柱（Ｃｏｌｕｍｎａ  ｖｅｒｔｅｂｒａｌｉｓ）」の脊椎が通常よりも大きい脊椎湾曲を有する「Ｓ形状」を取るようになり得る。そのような靴を常に履いていると、脊椎の上記のＳ形状が大きくなり、それにより、着用者が、椎間板ヘルニアおよび頸椎椎間板ヘルニアになる可能性を高める。
【００１０】
ハイヒール靴の構造において不正確なアークタンジェント値または不正確なヒール−爪先部角度値が使用されるときにしばしば起こり得るように、ハイヒール靴を履く人は、快適でなくなり、しばしば、短時間の後、足底の強い痛みを感じる。ヒールの角度が、最小の角度値よりも低い値に設定されるときでさえ、重心が必要以上に後ろになるので、足底の痛みが生じ、足は、想定以上に大きい弧状を取るように強いられる。
【００１１】
従来、解剖学的に適正な支持と快適さの向上とを備えるハイヒール靴を提供するために、様々な国で、多くの異なる様式で、様々な手段が使用されている。しかし、そのような手段のうち、美観に影響を及ぼすことなく高水準の適正な支持および快適性を提供するものは、あったとしてもほとんどない。
【発明の概要】
【発明が解決しようとする課題】
【００１２】
したがって、本発明の目的は、最小限の、または見分けの付かない程の美観的な変更しか伴わず、それでも、着用する人、通常は女性（同様に男性の履物にも適用可能であるが、本明細書では女性の着用者に言及する）が解剖学的に適正（適切）な姿勢で起立および歩行することができるようにする、すなわちヒールのない平らな靴で歩くときと同様に歩くことができるようにするハイヒール靴を提供することである。
【００１３】
本発明の別の目的は、着用者の身体が適正なバランスで起立することができ、足が全ての点で支持されるようにするハイヒール靴を提供することである。
【００１４】
本発明のさらなる目的は、特にスタイリッシュなタイプのハイヒール靴の構成では通常は達成可能でない非常に高い快適性を伴って、解剖学的に適切な直立した身体姿勢を着用者が取って維持することができるようにするハイヒール靴を提供することである。
【課題を解決するための手段】
【００１５】
概して、本発明は、適切な相互の角度および長さを有する構造構成で構成要素を備えるように構成された２インチ（５．０８ｃｍ）を超えるヒール高さのハイヒール靴であって、足のストレスおよび不快感が最小限にされると共に、靴の美観が保たれるハイヒール靴を備える。
【００１６】
本発明によれば、解剖学的に適切な直立した身体姿勢およびそれに伴う快適さは、ハイヒール靴において、本明細書で述べるようなアークタンジェント値を調節することによって、実質的に正確に適合した形で実現することができる。これは、足の後部または中央部にくるように重心を調節することによってのみ可能にされ得る。すなわち、直立した身体姿勢は、身体を健康な解剖学的構造に適切な位置にすることによって実現することができる。
【００１７】
ハイヒール靴の構成における足の支持、およびそれに関連する構成要素を実現するには、ハイヒール靴の各部の理解が必要であり、以下に定義する。通常は足の底部に接触する第１の部分は、「インソールボード」である。これは、靴の硬い部分であり、この部分は、ほとんどの履物で足の後部全体のすぐ下にある。インソールボードは通常、靴の後部（ヒール区域）から始まり、しばしば、爪先区域まで、または足の底部の曲率の端部まで延びる。インソールボードは通常、別のクッション層、および／またはその上のインソールライニングの層を有する。ライニングのこの厚さは変えることができ、しばしば変えられる。
【００１８】
「シャンク」は、インソールボードの下の特定の点に配置された支持部（しばしば鋼などの金属、またはガラスファイバもしくは他の強い素材から形成することができる）であり、インソールボードの形状を支え、着用者によってインソールに加えられる重量を支持する。シャンクは、決まった配置位置を有さないが、その湾曲は、インソールボードの下（または時として上）にそれが配置される位置で、インソールボードの湾曲に合致する必要がある。本明細書において、「曲率」は通常、「インソールボード」に関するものであり、または、着用者の足のすぐ下にあり、足の後部から始まって、下がりきった（すなわち実質的に平坦な）点に達するまで前方に延びる靴の任意の部分に関するものである。これに関して、インソールボードが通常、別のクッション層、および／またはその上のインソールライニングの層を有することに留意されたい。ライニングの厚さは変えることができ、それにより曲率のパラメータに影響を及ぼすことがある。有意な厚さが存在し、クッション材料の硬さにより、足がインソール面以外の曲率の上に位置する場合、本明細書で規定される曲率は、着用者が靴に体重をかけたときに達成される曲率であり、靴を繰返し履いた後（最初の数回の使用後にクッションが安定した後、または形状を保つ強いクッションの場合には、最初に履いた後）に足のすぐ下に残る形状が、本明細書における「曲率」である。
【００１９】
ハイヒール靴でのインソールボードの角度（アークタンジェント値）が、解剖学的構造に適合するように調節されるとき、足底での隆起部および窪み部の全ての点が、インソールボード上に正確に支持される。靴の様々な部分が着用者の足を直接支持することができるので、本明細書における用語「インソールボード」は、特に、着用者の足を直接支持し、着用者の足に接触する靴の部分およびその曲率を表す。これはまた、ウェッジソールタイプのハイヒール靴での同じタイプの上側構造も含む。
【００２０】
ハイヒール靴のインソールボードは、一般に、ａｒｃｔａｎ（ｋ＊ｘ）関数と同様の形状に従う。
【００２１】
この構造において上記関数の形状を得るため、および上記関数が所望の曲率をどのようにして示すかを把握するために、まず、「式１」を使用して、所望の曲率を有するインソールボード上の点に関してｙ値を得た。
ｙ＝（５／ａｒｃｔａｎ（１０ｋ））＊ａｒｃｔａｎ（ｋ＊ｘ）      （式１）
ここで、ｘ−ｙ座標面は、ハイヒール靴のインソールボードの側方位置に対して重ね合わされ、インソールボードの上向きの傾斜の開始点に原点を有し、ｘ座標の値は、座標面の垂直軸から、インソールボードが位置決めされる点まで延びる長さを表す。ｋの値は実験により定められる。定められるように、ｋの値は、ヒール高さに従って変化し、様々な値が以下の表４に記載されている（他のヒール高さ、および特定のヒール高さに関する有効範囲については、値の外挿および変更が成される）。
【００２２】
ｋ２因子（以下に記載する補正因子で使用される）は、曲率因子に関して、定数値３００を表し、これは、本発明による解剖学的に適正な位置および最大限の快適さを決定するための実験研究により得られる。ｙ座標の値は、座標面の水平軸から、インソールボードが位置決めされる点まで延びる長さを表す。
【００２３】
式で与えられるｘおよびｙの値はそれぞれ、長さ値であり、ｙ値は、インソールボード位置に沿って、距離ｘの変化と共に変化する。
【００２４】
式１のｙ値から導出される所望のインソールボード曲率Ｋは、「式２」を使用して計算した。
Ｋ＝ｙ”／（１＋（ｙ’）２）３／２      （式２）
ここで、Ｋは、式２で与えられる、ｙの１次微分（ｙ’）およびｙの二次微分（ｙ”）に関して変化する値を表す。
【００２５】
Ｋ値に関する式２を、ｘおよび定数ｋに関する値に関して表現した形が、「式３」として示されており、この式は、決定された曲率に関して使用される。
【数１】
2017506931.tif 000003
（式３）
【００２６】
本発明による、解剖学的に適切な身体姿勢および歩行を可能にし、整形外科的な傾斜および高いヒールを有する特定のハイヒール靴の、ヒールおよびプラットフォームの高さに関するハイヒール靴構成は、以下の要素およびパラメータを備える。
−少なくとも１つのインソールボードは、靴の爪先部角度（β）、および付随的にヒール角度（α）が、適正な直立した身体姿勢を提供するように構成され、曲率Ｋでサイズ設定される。曲率Ｋは、ｙ＝（５／ａｒｃｔａｎ（１０ｋ））＊ａｒｃｔａｎ（ｋ＊ｘ））と、ヒトの足の実際の構成に関係する補正係数１／（１＋（ｘ−ｘｊ）２／ｋ２）の積として得られ、０〜１００の任意のインソールボード距離ｘの値を考慮することによって係数ｘ（および付随的なｙ値）を用いて計算され、ヒールの高さは、望みに応じて、人の足の前部と踵との間の高さの差である、約２〜４．５インチ（最大１０％の端点の可能な変動を有する；最大約３と１／２インチの前部プラットフォームを有する場合には、約４．５インチの最大差を保つために最大８インチ）の範囲内で選択された高さにより変えることができ、
−少なくとも１つの前部プラットフォームは、選択された高さだけ地面よりも足を高くするように形成される。
−少なくとも１つの爪先部は、足の先端が配置される場所に位置され、その角度は、約７°〜２６°（１０％の取り得る許容差を有する）の間の望みの量だけ変更され得る。
【００２７】
本発明の上述および他の目的、特徴、利点は、以下の論述および図面からより明らかになろう。
【図面の簡単な説明】
【００２８】
【図１】姿勢および快適性レベルに影響を及ぼす修正範囲を示すハイヒール靴の側面図である。
【図２】インソールボード上昇の角度勾配の修正およびｘ−ｙ成分の角度を示す、図１のハイヒール靴のインソールボードの側面図である。
【図３】ヒールの厚さが減少された、図１のハイヒール靴の別の実施形態の側面図である。
【図４】図２のｘ、ｙ成分の変化に基づいて快適性レベルの修正を決定する際に本来使用される関数ｙ＝（５／ａｒｃｔａｎ（１０ｋ））＊ａｒｃｔａｎ（ｋ＊ｘ）において、ｋの変化に応じて関数ｙが辿る軌跡のグラフである。
【図５】様々なヒール高さのハイヒール靴のＡ１、Ａ２、Ａ３、Ａ４、Ａ５、Ａ６インソールボードの曲率変化のグラフである（本明細書では以後、それぞれ、２インチ、２と１／２インチ、３インチ、３と１／２インチ、４インチ、および４．５インチを表す）。これらは、インソールボード湾曲の異なる点でｘおよびｙ軸に関して異なる曲率で生成され得る。
【図６】４インチのヒールに関する本発明によるインソールボード、およびｘ−ｙ傾斜パラメータを提供するインソールボードのグラフである。
【図７】約２〜４．５インチの範囲内のヒールを有する靴に関する、図２に示されるような、ヒール角度（α）およびヒール支持構成を示す本発明のハイヒール靴の左側面図である。
【図８Ａ】従来技術のハイヒール靴を履いたときのヒトの脚の位置の差を示す図である。
【図８Ｂ】本発明のハイヒール靴を履いたときのヒトの脚の位置の差を示す図である。
【図９】適切なソール曲率の本発明のパラメータが具現化されているハイヒール靴のウェッジソールタイプ実施形態を示す図である。
【発明を実施するための形態】
【００２９】
図面に示される各構成要素は、以下のような共通の構成要素参照番号を付されている。
１．ハイヒール靴。
２．インソールボード。足に接触するインソールボードが上昇する点から計測され、靴の裏面または後部まで延びる。
３．インソールボードの一部としての、着用者の後部または踵を支持するヒール。
４．インソールボードの上昇点から前方に延びる前部プラットフォーム。
５．靴の前部としての爪先部。
【００３０】
表１は、適切な「曲率」が実現されるソール設計を提供する。この「曲率」は、以下の「式」を使用することによって計算される。
Ｋ＝４／ｉ      （式４）
ここで、ｉは、式２で与えられるＫを４で割った値である。
【００３１】
以下の表１は、式４を使用することによって最大の「曲率」が生じるソール設計（ｘ値）を示す。
【００３２】
【表１】
2017506931.tif 000004
【００３３】
これらのデータに鑑みて、ｋが減少しているときに最大の湾曲が生じる設計に達するので、ｋを最小化すべきであることが分かる。得られる形状を検査すると、インソール（２）の角度およびヒール（３）の角度は、ｋ値が減少するにつれて、予想以上に増加することが観察される。ヒール（３）の角度を非常に大きく増加することなく、湾曲設計を後方にシフトするために、因子関数が必要とされる。
【実施例】
【００３４】
様々な高さのヒールを有する１０個の異なるソールの試行を計算により行う。ヒール高さは、２インチ〜４インチ（５．０８〜１０．１６ｃｍ）とし、「式１」および補正係数に従ってソールまたはインソールボード曲率を得る。２インチ、２と１／２インチ、３インチ、３と１／２インチ、４インチ、および４．５インチのヒールを有する実用的なＡ１、Ａ２、Ａ３、Ａ４、Ａ５、Ａ６インソールボードの理想的な形態が得られる（または導出される）。式１と共に使用される適切な補正因子は、ＭａｔＬａｂソフトウェアプログラムのパラメータを使用して計算されるとき、以下のように与えられる「式５」である。
１／（１＋（ｘ−ｘｊ）２／ｋ２），  ｘ∈［０，１００］      （式５）
ここで、Ａ１、Ａ２、Ａ３、Ａ４、Ａ５、Ａ６のヒールサイズに関する変数ｘｊは、以下の表４で与えられる。ここで、
ｘｊは、インソールボードがヒトの足の解剖学的構造により良く適するように、公式内での因子関数の効果を変えるために使用される変数である。ｋ２は、インソールボードがヒトの足の解剖学的構造により良く適するように公式での因子関数の効果を変えるために使用される変数であり、３００と定められている。
【００３５】
得られる補正された公式を用いて、Ａ２、Ａ３、Ａ４、Ａ５、およびＡ６インソールボードを形成し、これらのモデルを（直接的な足の支持体として）実験で観察すると、解剖学的に適正な支持と着用者の快適性の向上との両方を提供することに成功していることが分かる。
【００３６】
表２は、前部プラットフォームなしのハイヒール靴では約２インチ〜４．５インチの範囲内の高さで、Ａ１、Ａ２、Ａ３、Ａ４、Ａ５、およびＡ６インボードソールを形成することができることを示す。ここで、ハイヒール靴は、靴を履く足の前部から踵までの間の上昇距離が約４．５インチ以下になるという条件の下で、約０インチ〜３．５インチの範囲内の高さを有する適切なサイズの前部プラットフォームを有していてもよい。すなわち、前述のヒールに関して、０〜３．５インチの範囲内の適切なプラットフォームを有する。
【００３７】
図面に示されるハイヒール靴（１）の爪先部角度（β）と、ヒール角度（α）とは、直立した身体姿勢を保証するようにインソールボード（２）に対して変化する。各ハイヒール靴（１）の爪先部角度（β）に対応するヒール角度（α）が、表２に与えられている。表２で見られるように、２インチ〜約８インチの間の範囲内の靴のヒールは、好ましくは、図７に示されるように約５°〜２６°（取り得る１０％の許容差を有する）の範囲内のヒール角度（α）の値を有する。ヒール角度の変化は、１つまたは２つの因子の関数である。第１の因子は、様々なヒール高さ（ｃｍ／インチ）の相違であり、第２の因子は、ラスティングプロセスなど、ハイヒール靴を製造する際に使用される材料によって生み出される相違である。最良の結果（姿勢および快適性）は、ハイヒール靴（１）の爪先部角度（β）が７°〜２６°の間の角度であるときに得られる。ヒール角度（α）は、インソールボード曲率計算値の関数であり、ヒールは、インソールボードの後端部であるが、所与の範囲内でのその変更が、製造プロセスによって機能的に決定される。
【００３８】
一般に、典型的なヒール区域距離は、ウェッジソール靴などでは、ヒール角度の計測の開始点となる靴の後部から３５〜５０ｍｍの間の範囲内であり、非常に細いスチレットヒールに関してはより小さいことがある。本明細書で行われるときのヒール角度およびその範囲の計算は、一般に、足支持部に沿って靴の後部から３５〜５０ｍｍの間の長さで決定される。
【００３９】
Ａ１〜Ａ６に関して示される各ヒール高さを有するインソールボードに関して以下の表２に関して提供される距離は、靴の後部およびインソールボードの端部から始まり、インソールボードの長さに沿って延びる。
【００４０】
【表２】
2017506931.tif 000005
【００４１】
上述したように上記の公式１と補正因子によって得られるインソールボードモデルは、適切な姿勢および快適性に適しているが、上記の範囲パラメータ内で、爪先部角度（β）とヒール角度（α）とに関して数度の許容差があり得る。快適性レベルの許容差を伴う許容差範囲は、それらの限度を、表内の隣接するヒール高さに関する値によって定義される。したがって、例えば、９０〜１００ｍｍの距離の点で、Ａ１に関する湾曲角度値は、４２．９６°からＡ２の４５．６３°までの範囲でよい。Ａ２に関して、値は、Ａ１からＡ３までの値を見て、Ａ１の４２．９６°からＡ３の４９．６１°までの範囲である。同様に、Ａ３に関して、値は、Ａ２の４５．６３°からＡ４の５１．７２°までの範囲であり、Ａ４に関して、値は、Ａ３の４９．６１°からＡ５の５６．１３°までの範囲である。Ａ５に関する範囲は、Ａ４の５１．７２°からＡ６の５８．４３°までである。Ａ６に関する値は、Ａ５の５６．１３°からＡ６の５８．４３°までである。Ａ１およびＡ６に関する値は、それぞれ最小値および最大値であり、取り得る許容差を有する。範囲は、様々な距離の点にわたって同様に広げられる。
【００４２】
同様に、ヒール角度αは、特定のヒール高さに関して表に与えられているように、隣接するヒール高さＡ１〜Ａ６の間の範囲内で変わってよく、Ａ１に関するヒール角度は、５°〜１６°の間であり、Ａ２に関しては、５°〜１８°の間であり、Ａ３に関しては、１２°〜２０°の間であり、Ａ４に関しては、１４°〜２２°の間であり、Ａ５に関しては、１６°〜２６°の間であり、Ａ６に関しては、１８°〜２６°の間であり、Ａ１およびＡ６に関する値は、それぞれ最小値および最大値である（１０％までの取り得る許容差を有する）。
【００４３】
２インチ〜４．５インチの範囲内にあるが、特定のＡ１〜Ａ６の高さとは異なるヒール高さに関して、特定の位置での湾曲角度、および湾曲値の有効範囲を決定する際、隣接するＡ１〜Ａ６の値の間の範囲値の外挿を提供するために表４のｘｊおよびｋの値が使用される。
【００４４】
したがって、表２および表３でのＡ１〜Ａ６モデルインソールボードの値を使用して内挿することによって、中間のヒール高さ値に関しても上記の公式を使用することによって、モデリングを多くの異なるインソールボードに効果的に適用することができる。中間のヒール高さで形成されたインソールボードは、適切な姿勢および快適性を考慮して受け入れることができる。中間値で形成されたインソールボードも同様に、数度の許容差によって影響を及ぼされることなく、好適な靴の製造において使用することができる。Ａ値の中間値が、以下に与えられる表３に提供される。
【００４５】
【表３】
2017506931.tif 000006
【００４６】
Ａ１、Ａ２、Ａ３、Ａ４、Ａ５、Ａ６インソールボードが形成されるとき、表４で与えられる変数ｘｊ、ｋ、およびｋ２が上述したように使用され、ｋは、ＭａｔＬａｂアルゴリズムの変数関数である。この表で与えられるｋ２は、インソールボードが足の解剖学的構造により良く適するように公式での因子関数の効果を変えるために使用される変数であり、実験から３００と定められている。
【００４７】
【表４】
2017506931.tif 000007
【００４８】
図面を参照すると、図１および図３に示されるように、典型的なハイヒール靴１は、爪先区域５と、ソールまたはプラットフォーム区域４とを備え、これらの区域は、図１に示されるように、足の前部のための厚みのある支持部を提供することがあり、または図３に示されるように最小の厚さでよい。インソールボードまたは直接的な足支持区域２は、ソールまたはプラットフォーム区域４から延在し、通常はソールまたはプラットフォーム区域４と一体化され、図２に示されるインソールボード２に関する上昇点から始まる。インソールボード２は、通常は靴の後部またはヒールに向かう湾曲区域として上昇し、ここで、インソールボード２の一部は、図１と図３に異なる構成で示されるヒール３によって支持される。図８Ａの従来技術の靴と、図８Ｂの本発明による靴とのどちらにおいても、図８Ａおよび図８Ｂに示される靴１の着用者の踵は、ヒール３に乗り、ヒール３によって支持される。図２および図７に示される本発明の靴のヒール角度（α）は、５〜２６°の比較的低い大きさであり、概して、従来技術のハイヒール靴でのヒール角度の大きさよりもかなり低い。図１の靴におけるように、爪先部角度は地面と面一でもよいが、より良い姿勢および快適性の向上のために、前方爪先部角度（β）は、７°〜２６°の範囲の角度でわずかに上昇されるべきであり、この範囲からの変動はほとんどまたは全くない。
【００４９】
従来技術の靴と本発明による靴との両方のインソールボード２の曲線形状は、ｘ、ｙ軸座標系によって定義され、このｘ、ｙ軸座標系は、図２に示されるように、インソールボードが上昇し始めるインソールボード２の点に原点を取って、インソールボードに重ね合わされる。インソールボードでの各点は、相互に関連付けられるｘおよびｙパラメータ値によって定義される。インソールボードの曲率は、図４に示されるように関数ｋによって決定され、低いｋでの限定された曲率から、高い曲率の形状までの範囲を取ることができ、様々な曲率が、異なる度合の支持、および／または快適さ／不快さ、ならびに適切な足の位置決めおよび姿勢を提供する。
【００５０】
図５のｘ−ｙグラフに示されるように、本発明に従って、式１を利用して５つのインソールボード（Ａ１〜Ａ５）が形成され、これらは、曲線のあらゆるｘ、ｙ値に関して式５の補正因子で補正されており、ｋ２定数値は３００であり、異なる曲線によって表されている。Ａ１〜Ａ６インソールボードは、それぞれ２インチ、２と１／２インチ、３インチ、３と１／２インチ、４インチ、および４．５インチのヒール高さに関して形成した。図６は、４インチのヒールを有するＡ５インソールボードに関する湾曲を詳細に示す。
【００５１】
図８Ａおよび図８Ｂは、従来技術の靴１’（図８Ａ）と、本発明による靴１（図８Ｂ）との着用者の位置および姿勢の支持を示し、ここで、従来技術の靴の着用者に関する適切な直立軸Ａは、適切な姿勢よりも前に傾いたずれがあり、完璧な支持ではないことを示し、その結果生じる前方の爪先部での圧力が、ハイヒール靴で典型的な痛みを引き起こす。また、アーチ領域９での支持が欠如している。対照的に、図８Ｂでの靴１は、アーチ全体にわたって完全な支持を提供し、踵が完全に支持されており、それにより、着用者は、より見た目の美しい立ち姿で軸Ａに沿って立つ。ここで、図８Ａと図８Ｂの靴は、スタイリッシュな外観の観点ではほとんど見分けが付かない。
【００５２】
図９は、ウェッジソール靴として知られているハイヒール靴の実施形態を示し、ここでは、他の実施形態で使用されるような鋼インソールボードの代わりに、完全に支えられたソールが使用される。ソール２の曲率は、インソールボードでの実施形態の曲率と実質的に同一である。
【００５３】
上記の開示および例は、本発明の例示にすぎず、添付の特許請求の範囲によって定義される本発明の範囲から逸脱することなく材料、構造、構成などの変更が可能であり、例えば、特に踵またはその周囲において、靴インソールの圧力が加わる部位または痛みが通常生じる部位に追加のクッションが提供される。
【図１】
2017506931.tif 000014
【図２】
2017506931.tif 000015
【図３】
2017506931.tif 000016
【図４】
2017506931.tif 000017
【図５】
2017506931.tif 000018
【図６】
2017506931.tif 000019
【図７】
2017506931.tif 000020
【図８Ａ】
2017506931.tif 000021
【図８Ｂ】
2017506931.tif 000022
【図９】
2017506931.tif 000023
【国際調査報告】
2017506931.tif 000024